(57)【要約】      （修正有）【課題】キャップの取り外しを不要としつつ、容器のデザインの制約を解消する。【解決手段】取出容器は、内容物を収納するボトル１と、ボトル１の上部に横方向へスライド可能に取付けられたキャップ２と、キャップ２内に回動可能に配設された取出体３とで構成する。取出体３に取出口３ｂが設けてあり、この取出口３ｂから、前記キャップのスライド位置において前記ボトル１の排出口１ｂに接続する排出路が設けてあり、前記キャップ２を閉鎖位置からスライドさせることにより取出体３が回動して取出口３ｂが前記キャップ２の開口部から露出すると共に、前記排出路３ｂが排出口１ｂに連通し、前記取出口３ｂからボトル１の内容物を取り出すことができる。【選択図】図３
2020104875.tif 000002
【特許請求の範囲】
【請求項１】
ボトルと、このボトルの上部に横方向へのスライド可能に取り付けられたキャップと、キャップ内に回動可能に配設された取出体とで構成され、
前記ボトルは天板を有し、この天板に内容物の排出口が設けられ、
前記キャップは、天板に開口部を有し、
前記取出体は、前記キャップ内に、前記キャップのスライド方向と直角な取付軸によって回動可能に取付けられ、
前記取出体に、前記キャップのスライドによって取出体が回動するための回動機構が取付けられ、
前記取出体の、前記キャップが定位置にあるときにキャップに設けられた開口部を塞ぐカバー体が設けられ、前記キャップのスライド位置における上側に取出口が設けられると共に、この取出口から、前記キャップのスライド位置において前記ボトルの排出口に接続する内容物の排出路が設けられ、
前記キャップを定位置からスライドさせることにより取出体が回動して取出口が前記キャップの開口部から露出すると共に、内容物の排出路が排出口に連通し、前記取出口からボトルの内容物を取り出すことができるようにした、
取出容器。
【請求項２】
回動機構として、取出体の、キャップのスライド位置側とボトルの上部との間に、キャップのスライドに伴って移動する取付軸と共同してスライダクランクを構成するクランクが配設された、
請求項１に記載の取出容器。
【請求項３】
回動機構として、取出体に、その取付軸と同軸に歯車を設け、ボトルにこの歯車と噛み合うラックを設けた、
請求項１に記載の取出容器。
【請求項４】
回動機構として、キャップの定位置における取出体の下部とボトルの上部との間をクランクで連結した、請求項１に記載の取出容器。
【請求項５】
回動機構として、ボトルの上部に縦方向のガイド溝を設け、取出体の側部にキャップのスライドに伴い前記ガイド溝に沿って上下に移動する凸部を設け、
前記キャップが定位置にあるときには取出体はそのカバー体がキャップの開口部を塞ぐ位置にあり、
キャップがスライド位置にあるときには取出口が露出するようにした、
請求項１に記載の取出容器。
【請求項６】
キャップ又は取出体に、キャップが定位置にあるときにボトルの排出口を閉鎖する弁体が設けられた、請求項１ないし５の何れかに記載の取出容器。
【発明の詳細な説明】
【技術分野】
【０００１】
この発明は、ボトルに収納された内容物（粒状物、粉状物、液体など）を、キャップを取り外すことなく取り出せるようにした取出容器に関するものである。
【背景技術】
【０００２】
粒状の菓子や薬剤を収納し、使用の都度取り出せるようにした取出容器としては、ボトルの天板に取出口を設けて、スライドするキャップを備えることによって取出口を開閉するようにしたものが広く使用されている。
【発明の開示】
【発明が解決しようとする課題】
【０００３】
このような容器においては、ボトルの上面とキャップとを接触させた状態とする必要があり、容器デザインの自由度が乏しい。
この発明は、キャップの取り外しを不要としつつ、容器のデザインの制約を解消することを課題とするものである。
【課題を解決するための手段】
【０００４】
この発明の取出容器は、内容物を収納するボトルと、このボトルの上部に横方向へスライド可能に取付けられたキャップと、キャップ内に回動可能に配設された取出体とで構成する。
前記ボトルは天板を有し、この天板に内容物の排出口が設けてある。前記キャップは、天板に開口部を有する。
前記取出体は、前記キャップ内に、前記キャップのスライド方向と直角な取付軸によって回動可能に取り付けてあり、前記取出体には、前記キャップのスライドによって取出体が回動するための回動機構が配設してある。
前記取出体の、前記キャップの定位置（「定位置」とはキャップの閉鎖位置を意味する。）における上側に、前記キャップの開口部を塞ぐカバー体が設けてあり、前記キャップのスライド位置（「スライド位置」とはキャップの開口部に取出口が露出した状態を意味する。）における上側に取出口が設けてあり、この取出口から、前記キャップのスライド位置において前記ボトルの排出口に接続する排出路が設けてあり、前記キャップを定位置からスライドさせることにより取出体が回動して取出口が前記キャップの開口部から露出すると共に、前記排出路が排出口に連通し、前記取出口からボトルの内容物を取り出すことができるようにしてある。  
【０００５】
前記回動機構の具体的な構造としては、以下のような構造が考えられるが、これらに限定されるものではなく、キャップの横方向へのスライド移動を回動運動に変換できる機構を備えていればよい。
【０００６】
取出体の前記キャップのスライド位置側と前記ボトルとの間に、前記キャップのスライドに伴って移動する、前記取付軸と共同してスライダクランクを構成するクランクを配設する構造（請求項２）。
【０００７】
取出体に、その取付軸と同軸に歯車を設け、ボトルにこの歯車と噛み合うラックを設ける構造（請求項３）。
【０００８】
取出体の下部とボトルの上部との間をクランクで連結する構造（請求項４）。
【０００９】
ボトルの上部に縦方向のガイド溝を設け、取出体の側部にキャップのスライドに伴い前記ガイド溝に沿って上下に移動する凸部を設け、キャップが定位置にあるときには取出体はそのカバー体がキャップの開口部を塞ぐ位置にあり、キャップがスライド位置にあるときには取出口が露出するようにする構造（請求項５）。
【００１０】
そして、キャップ又は取出体に、キャップが定位置にあるときにボトルの排出口を閉鎖する弁体を設けることにより、密封性を高めることができる。前記弁体は、実施例に示す板状の弁の他、ボール弁その他適宜の弁を使用することができる。
【発明の効果】
【００１１】
この発明によれば、以下の効果を得ることができる。
キャップが閉鎖位置にあるときは、取出口は横向き状態であり、ボトルの内容物が取り出されることはない。
キャップをスライドさせると、回動機構の作用によって取出体が回動し、取出口がキャップの開口部から露出する。また、取出体の排出路がボトルの排出口に接続されるので、ボトルの内容物を取出口から取り出すことができる。
そして、キャップは横方向にスライドできればよいので、その形状に制約はなく、自由なデザインが可能である。
【００１２】
この発明は、粒状、粉状の菓子や調味料、薬剤の容器として好適であるが、取出口をノズルとすることにより、卓上用や携帯用の液体調味料その他の液体の容器としても使用できる。そして、ボトルを弾性変形可能なものとすれば、ボトルを指で押すことによって、液体を滴下することができる。さらにボトルを大型にすれば、携帯用の飲料容器としても使用することができる。
【図面の簡単な説明】
【００１３】
【図１】この発明実施例１の定位置における断面図。
【図２】同じくスライド途中における要部断面図。
【図３】同じくスライド位置における要部断面図。
【図４】同じく形状の異なる例のスライド途中における要部透視斜視図。
【図５】この発明実施例２の定位置における透視した正面図。
【図６】同じくＡ−Ａ断面図。
【図７】同じくスライド位置における透視した正面図。
【図８】同じくＢ−Ｂ断面図。
【図９】この発明実施例３の定位置における断面図。
【図１０】同じくスライド途中における断面図。
【図１１】同じくスライド位置における断面図。
【図１２】この発明実施例４の定位置における透視した斜視図。
【図１３】同じくスライド途中における透視した斜視図。
【図１４】同じくスライド位置における透視した斜視図。
【実施例】
【００１４】
以下この発明の実施例を説明する。
【実施例１】
【００１５】
以下の説明は、図１に示すカバーを閉じた状態を基準として記述する。
この発明の取出容器は、内容物を収納するボトル１と、このボトルの上部に横方向へのスライド可能に取り付けられたキャップ２と、キャップ２内に配設された取出体３とで構成してある。
【００１６】
前記ボトル１は天板１ａを有し、この天板１ａのスライド位置側に内容物の排出口１ｂが設けてある。前記キャップ２は、上部に開口部２ａを有すると共に、内壁に前記ボトル１に設けられた排出口１ｂを塞ぐ板状の弁体２ｂが設けてある。
【００１７】
前記取出体３は、前記キャップ２内に、前記キャップのスライド方向と直角な取付軸３ａ（図４参照）によって回動可能に取り付けてある。すなわち、取付軸３ａは取出体３の両側壁に形成された円形の凸部であり、この取付軸３ａがキャップ２の内壁に形成された円形の凹部（図示しない）に嵌まり、取出体３が回動できるようになっている。
そして、スライド位置、すなわち取出体３が９０度回動したときに上向きになる位置に取出口３ｂが設けてあり、取出口３ｂの周囲にはキャップ２の開口部２ａを塞ぐ閉塞板３ｃが設けてある。前記取出口３ｂには内容物の排出路３ｄが接続してあり、排出路３ｄの他端は取出体３が９０度回動したときに取出体３の下方に突出する管３ｅとしてあり、この管３ｅが前記ボトル１の排出口１ｂに接続するようにしてある。また、定位置における取出体３の上部には、キャップ２の開口部２ａを塞ぐカバー体３ｆが設けてある。
【００１８】
前記ボトル１の天板１ａには凸条１ｃを備えた係止片１ｄがキャップ２の移動路に沿って対向して設けてあり、キャップ２の内壁に、移動方向に沿って形成された溝２ｃが係止し（スナップフィット機構による）、キャップ２が横方向にスライドできるようにある（図４参照）。
【００１９】
前記取出体３のキャップ２のスライド位置側と前記ボトル１の天板１ａとの間に、前記キャップ２のスライドに伴って横移動する取付軸３ａと共同してスライダクランクを構成するクランク４を配設して回動機構としてある。
前記クランク４は板体であり、取出体３と一体成形され、上端部はＰＰヒンジ４ａとしてあり、下端部はボトル１の天板１ａに設けられた軸受１ｅに軸支されている。
なお、上端部は取出体３に軸受３ｇを設けて軸支する構成としてもよく（図４参照）、また板体ではなく、取出体３の両側に棒状の部材を取り付けてもよい。
【００２０】
以上の構成により、以下の作用効果を得ることができる。
定位置においては、図１に示すように、ボトル１の排出口１ｂはキャップ２の弁体２ｂによって閉塞される。したがって、ボトル１の内容物がボトルから排出されることがなく、ボトルの内容物が湿気るおそれもない。またキャップ２の開口部２ａは取出体３のカバー体３ｆよって塞がれており、キャップ内に異物が入り込むことはない。
【００２１】
キャップ２を図１中右側に横移動させると、それに伴い取出体３の取付軸３ａも同じ方向に直線的に移動する。ここでクランク体４によって取出体３に下方向の回転力（図における右回転）が付与されるので、取出体３は９０度回転する。
取出体３が９０度回転すると、キャップ２の開口部２ａから取出口３ｂが露出し、排出路の管３ｅが前記ボトル１の排出口１ｂに接続する。したがって、ボトル１の内容物を、排出路３ｄを経て取出口３ｂから取り出すことができる。
【実施例２】
【００２２】
図５ないし図８は、請求項３に対応する回動機構の実施例を示すものである。液体容器として構成してあり、取出口３ｂはノズルとしてある。
取出体３の側壁に、取付軸３ａと同軸として歯車５ａを設けてあり、ボトル１の天板１ａ上に前記歯車５ａと噛み合うラック５ｂを設けて回動機構を構成している。
【００２３】
この実施例においては、キャップ２を横にスライドさせると歯車５ａがラック５ｂによって回動するので、それに伴って取出体３が回動する。
【００２４】
この実施例においては、排出口と排出路の接続構造が実施例１とは異なっている。
ボトル１の排出口１ｂを上に延ばして取出体３に向けて開口し、取出体３の側壁に排出路の管３ｅの端部が開口してあり、取出体３が９０度回動したときに排出口１ｂに管３ｅの端部が接続するようにしてある。また、キャップが定位置にあるときにボトル１の排出口１ｂを取出体３の側壁が塞ぐようにしてあり、側壁が弁体として機能する。
【実施例３】
【００２５】
図９ないし図１１は、請求項４に対応する回動機構の実施例を示すものである。
ボトル１の天板１ａにクランク６の一端がピンにより取付けてあり、このクランク６の他端が取出体３の下部にピンにより取付けてある。クランク６の取出体３への取付位置は、キャップ２の定位置においてボトルの天板１ａへの取付位置よりもキャップ２のスライド方向とし、キャップ２の定位置において若干の上り傾斜としてある。
前記クランク６は、ピンによる連結ではなく、回転体３と一体としてＰＰヒンジによる連結とすることもできる。
図中、符号７は内容物（粒状物）の流路を整えるためのリブであり、ボトル２の内側面に手前側と奥側に対向して設けてある。その突出高さは対向するリブ７によって形成される流路の幅が排出口１ｂの内寸と同等となるようにしてある。
【００２６】
この実施例において、キャップ２を横にスライドさせると、スライド開始当初はクランク６がキャップと共に移動する取出体３に引っ張られて水平位置となり、取出体３が回動を開始する。キャップ２をさらにスライドさせると、クランク６は上向きに回動するので、取出体３のクランクの取付軸は押上げられ、取出体３が回動してキャップ２の開口部２ａから取出口３ｂが露出する。
【実施例４】
【００２７】
図１２ないし図１４は、請求項５に対応する回動機構の実施例を示すものである。
ボトル１の天板１ａに２本の柱体８、８ａが設けてあり、柱体８の間隙がガイド溝９となっている。他方取出体３取付軸３ａの、キャップのスライド方向斜め下方に、凸部１０が設けてあり、この凸部１０はキャップ２のスライドに伴いガイド溝９を上下移動するようにしてある。
前記ガイド溝９は、２本の柱体ではなく断面コ字状に成型して構成することもできる。
【００２８】
この実施例において、キャップ２を横にスライドさせると、スライド開始当初は凸部１０がキャップ２のスライド方向にある柱体８ａに押されてガイド溝９内を下方へ移動し、取出体３は回動を開始する。
取付軸３ａと凸部１０を結ぶ線が垂直になった後は、凸部１０は溝９内を上方へ移動し、それに伴って取出体３が回動し、キャップ２の開口部２ａから取出口３ｂが露出する。
【産業上の利用可能性】
【００２９】
この発明は、キャップを外さずに内容物を取り出すことのできる取出容器であり、粒状物、液体の収納に有益なものであって、産業上の利用可能性を有するものである。
【符号の説明】
【００３０】
１    ボトル
１ａ  ボトルの天板
１ｂ  排出口
１ｃ  凸条
１ｄ  係止片
１ｅ  軸受
２    キャップ
２ａ  開口部
２ｂ  弁体
２ｃ  溝
３    取出体
３ａ  取付軸
３ｂ  取出口
３ｃ  閉塞板
３ｄ  排出路
３ｅ  管
３ｆ  カバー体
３ｇ  軸受
４    クランク
５ａ 歯車
５ｂ  ラック
６    クランク
７    リブ
８、８ａ    柱体
９  ガイド溝
１０  凸部
【図１】
2020104875.tif 000003
【図２】
2020104875.tif 000004
【図３】
2020104875.tif 000005
【図４】
2020104875.tif 000006
【図５】
2020104875.tif 000007
【図６】
2020104875.tif 000008
【図７】
2020104875.tif 000009
【図８】
2020104875.tif 000010
【図９】
2020104875.tif 000011
【図１０】
2020104875.tif 000012
【図１１】
2020104875.tif 000013
【図１２】
2020104875.tif 000014
【図１３】
2020104875.tif 000015
【図１４】
2020104875.tif 000016